(57)【要約】本発明は、インテリジェントデバイスを制御するための装置を提供する。本発明に係る方法は、少なくとも一つの制御可能なインテリジェントデバイスと、各インテリジェントデバイスに対応する実行操作と、各実行操作に対応する実行条件とを含み、ユーザにより設定された構成情報を受信・保管する工程と、目的実行条件が成立した場合に、目的実行条件に応じて構成情報を照会し、目的条件に対応する目的インテリジェントデバイスと目的実行操作を決定する工程と、目的実行操作を行うために目的インテリジェントデバイスを制御する工程とを含む。本発明によれば、事前に構成された制御指令に応じて対応するインテリジェントデバイスを制御することができるので、ユーザの好みに合わせた要求を満たすことができるにとどまらず、ユーザに大きな利便性をもたらすことができる。【選択図】図１
2017529814.tif 000002
【特許請求の範囲】
【請求項１】
インテリジェントデバイスを制御する方法であって、  
少なくとも一つの制御可能なインテリジェントデバイスと、各インテリジェントデバイスに対応する実行操作と、各実行操作に対応する実行条件とを含み、ユーザにより設定された構成情報を受信・保管する工程と、
目的実行条件が成立した場合に、前記目的実行条件に応じて前記構成情報を照会し、前記目的条件に対応する目的インテリジェントデバイスと目的実行操作を決定する工程と、
前記目的実行操作を行うために前記目的インテリジェントデバイスを制御する工程とを含むインテリジェントデバイスを制御する方法。
【請求項２】
前記構成情報は、複数のインテリジェントデバイスと、前記複数のインテリジェントデバイスを制御する順序を含むことを特徴とする請求項１に記載の方法。
【請求項３】
前記構成情報は、一つのインテリジェントデバイスにおいて実行される一つ以上の制御操作を含むことを特徴とする請求項１に記載の方法。
【請求項４】
前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含むことを特徴とする請求項１から請求項３までのいずれか一つの請求項に記載の方法。
【請求項５】
前記目的実行操作を行うために前記目的インテリジェントデバイスを制御する工程は、ブルートゥースにより、または赤外線信号の送信もしくはＷＩＦＩに基づく無線信号の送信を行う方法により符号化情報を前記目的インテリジェントデバイスに送信する工程を含み、
前記符号化情報は、前記目的インテリジェントデバイスの前記目的実行操作を含み、前記目的インテリジェントデバイスは、前記符号化情報に基づいて前記目的実行操作を行うことを特徴とする請求項１に記載の方法。
【請求項６】
前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する工程をさらに含み、
前記ユーザにより設定された前記構成情報を受信する工程は、前記インテリジェントデバイスの情報に応じて前記ユーザにより設定された前記構成可能な情報を受信する工程を含むことを特徴とする請求項１に記載の方法。
【請求項７】
前記インテリジェントデバイスの構成可能な情報を前記インテリジェントデバイス上のＮＦＣタグによって取得する工程は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得する工程を含むことを特徴とする請求項６に記載の方法
【請求項８】
インテリジェントデバイスを制御する装置であって、  
少なくとも一つの制御可能なインテリジェントデバイスと、各インテリジェントデバイスに対応する実行操作と、各実行操作に対応する実行条件とを含み、ユーザにより設定された構成情報を受信・保管する受信手段と、
目的実行条件が成立した場合に、前記目的実行条件に応じて前記構成情報を照会、前記目的条件に対応する目的インテリジェントデバイスと目的実行操作を決定するクエリ手段と、
前記クエリ手段により決定された前記目的実行操作を行うために前記クエリ手段により決定された前記目的インテリジェントデバイスを制御する制御手段を備えた装置。
【請求項９】
前記構成情報は、複数のインテリジェントデバイスと、前記複数のインテリジェントデバイスを制御する順序を含むことを特徴とする請求項８に記載の装置。
【請求項１０】
前記構成情報は、１つのインテリジェントデバイスにおいて実行される１つ以上の制御操作を含むことを特徴とする請求項８に記載の装置。
【請求項１１】
前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含むことを特徴とする請求項８から請求項１０までのいずれか一つの請求項に記載の装置。
【請求項１２】
前記制御手段は、ブルートゥースにより、または赤外線信号の送信もしくはＷＩＦＩに基づく無線信号の送信を行う方法により符号化情報を前記クエリ手段により決定された前記目的インテリジェントデバイスに送信するよう構成され、
前記符号化情報は、前記目的インテリジェントデバイスの前記目的実行操作を含み、前記クエリ手段により決定された前記目的インテリジェントデバイスは、前記符号化情報に基づいて前記目的実行操作を行うことを特徴とする請求項８に記載の装置。
【請求項１３】
前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する取得手段をさらに備え、
前記受信手段は、前記取得手段により取得された前記インテリジェントデバイスの情報に応じて前記ユーザにより設定された前記構成可能な情報を受信するよう構成されていることを特徴とする請求項８に記載の装置。
【請求項１４】
前記取得手段は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得するよう構成されていることを特徴とする請求項１３に記載の装置。
【請求項１５】
プロセッサと、
前記プロセッサにより実行可能な命令を記憶するように構成されたメモリとを備え、インテリジェントデバイスを制御する装置であって、
少なくとも一つの制御可能なインテリジェントデバイスと、各インテリジェントデバイスに対応する実行操作と、各実行操作に対応する実行条件とを含み、ユーザにより設定された構成情報を受信・保管し、
目的実行条件が成立した場合に、前記目的実行条件に応じて前記構成情報を照会し、前記目的条件に対応する目的インテリジェントデバイスと目的実行操作を決定し、
前記目的実行操作を行うために前記目的インテリジェントデバイスを制御するよう構成された装置。
【発明の詳細な説明】
【技術分野】
【０００１】
関連出願の相互参照
本出願は、２０１５年７月１３日に出願された中国特許出願番号２０１５１０４０８６６７．Ｘに基づく優先権を主張するものであり、参照によりその全内容が本明細書に組み込まれる。
【発明の詳細な説明】
【０００２】
本発明は、インテリジェント世帯の分野に関し、より具体的にはインテリジェントデバイスを制御するための方法および装置に関する。
【背景技術】
【０００３】
社会の急速な発展に伴い、人々の生活の経済水準は徐々に上昇し、インテリジェント世帯は日常生活の中に浸透している。
【０００４】
インテリジェント世帯は、高度なコンピュータ技術、ネットワーク通信技術、総合的な配線技術、安全技術、自動制御技術と視聴覚技術を使用して、プラットフォームとしての家屋と様々なインテリジェントデバイスを統合している。家庭生活をより快適に、安全かつ効率的に行うために、効率的な居住施設や家庭内の管理システムが確立されている。各インテリジェントデバイスは、遠隔制御装置との通信機能を有し、起動または停止するように制御されている。
【発明の概要】
【０００５】
本発明の実施形態における第１の側面によれば、インテリジェントデバイスを制御するための方法が提供される。当該方法には、少なくとも一つの制御可能なインテリジェントデバイスと、各インテリジェントデバイスに対応する実行操作と、各実行操作に対応する実行条件とを含み、ユーザにより設定された構成情報を受信・保管する工程と、目的実行条件が成立した場合に、前記目的実行条件に応じて前記構成情報を照会し、前記目的条件に対応する目的インテリジェントデバイスと目的実行操作を決定する工程と、前記目的実行操作を行うために前記目的インテリジェントデバイスを制御する工程とが含まれる。
【０００６】
上記の方法によれば、代替的に、前記構成情報は、複数のインテリジェントデバイスと、前記複数のインテリジェントデバイスを制御する順序を含む。
【０００７】
上記の方法によれば、代替的に、前記構成情報は、１つのインテリジェントデバイスにおいて実行される１つ以上の制御操作を含む。
【０００８】
上記の方法によれば、代替的に、前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含む。
【０００９】
上記の方法によれば、代替的に、前記目的実行操作を行うために前記目的インテリジェントデバイスを制御する工程は、ブルートゥースにより、または赤外線信号の送信もしくはＷＩＦＩに基づく無線信号の送信を行う方法により符号化情報を前記目的インテリジェントデバイスに送信する工程を含み、前記符号化情報は、前記目的インテリジェントデバイスの前記目的実行操作を含み、前記目的インテリジェントデバイスは、前記符号化情報に基づいて前記目的実行操作を行う。
【００１０】
上記の方法によれば、代替的に、前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する工程をさらに含み、前記ユーザにより設定された前記構成情報を受信する工程は、前記インテリジェントデバイスの情報に応じて前記ユーザにより設定された前記構成可能な情報を受信する工程を含む。
【００１１】
上記の方法によれば、代替的に、前記インテリジェントデバイスの構成可能な情報を前記インテリジェントデバイス上のＮＦＣタグによって取得する工程は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得する工程を含む。
【００１２】
本発明の実施形態における第２の側面によれば、インテリジェントデバイスを制御する制御手段を備えた装置が提供される。当該装置は、少なくとも一つの制御可能なインテリジェントデバイスと、各インテリジェントデバイスに対応する実行操作と、各実行操作に対応する実行条件とを含み、ユーザにより設定された構成情報を受信・保管する受信手段と、目的実行条件が成立した場合に、前記目的実行条件に応じて前記構成情報を照会し、前記目的条件に対応する目的インテリジェントデバイスと目的実行操作を決定するクエリ手段と、前記目的実行操作を行うために前記目的インテリジェントデバイスを制御する制御手段とを含む。
【００１３】
上記の装置によれば、代替的に、前記構成情報は、複数のインテリジェントデバイスと、前記複数のインテリジェントデバイスを制御する順序を含む。
【００１４】
上記の装置によれば、代替的に、前記構成情報は、１つのインテリジェントデバイスにおいて実行される１つ以上の制御操作を含む。
【００１５】
上記の装置によれば、代替的に、前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含む。
【００１６】
上記の装置によれば、代替的に、前記制御手段は、ブルートゥースにより、または赤外線信号の送信もしくはＷＩＦＩに基づく無線信号の送信を行う方法により符号化情報を前記クエリ手段により決定された前記目的インテリジェントデバイスに送信するよう構成され、前記符号化情報は、前記目的インテリジェントデバイスの前記目的実行操作を含み、前記クエリ手段により決定された前記目的インテリジェントデバイスは、前記符号化情報に基づいて前記目的実行操作を行う。
【００１７】
上記の装置によれば、代替的に、当該装置は、前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する取得手段をさらに備え、前記受信手段は、前記取得手段により取得された前記インテリジェントデバイスの情報に応じて前記ユーザにより設定された前記構成可能な情報を受信するよう構成されている。
【００１８】
上記の装置によれば、代替的に、前記取得手段は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得するよう構成されている。
【００１９】
本発明の実施形態における第３の側面によれば、インテリジェントデバイスを制御するための装置が提供される。当該装置は、プロセッサと、前記プロセッサにより実行可能な命令を記憶するように構成されたメモリとを備え、インテリジェントデバイスを制御する装置であって、少なくとも一つの制御可能なインテリジェントデバイスと、各インテリジェントデバイスに対応する実行操作と、各実行操作に対応する実行条件とを含み、ユーザにより設定された構成情報を受信・保管し、目的実行条件が成立した場合に、前記目的実行条件に応じて前記構成情報を照会し、前記目的条件に対応する目的インテリジェントデバイスと目的実行操作を決定し、前記目的実行操作を行うために前記目的インテリジェントデバイスを制御するよう構成されている。
【発明の効果】
【００２０】
本発明の実施形態によれば、当該技術的解決方法により、ユーザはインテリジェントデバイスが上記の装置によって自動的に制御されるように設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができるという効果を奏する。
【００２１】
さらに、構成情報には、複数のインテリジェントデバイスを制御する順序または一つのインテリジェントデバイスで実行される複数の制御操作が含まれるので、一つの実行条件が成立したときに複数のインテリジェントデバイスまたは一つのインテリジェントデバイスにおける複数の操作の協調動作を実現することができ、これにより、ユーザに大きな利便性をもたらすことができる。
【００２２】
前述一般的説明および以下の詳細な説明は、例示および説明のみを目的とするものであり、本発明の範囲を限定するものではないことを理解すべきである。
【図面の簡単な説明】
【００２３】
本明細書に組み込まれ、本明細書の一部を構成する添付図面は、本発明と一致する実施形態を例示し説明すると共に、本発明の原理を説明するのに役立つ。
【００２４】
【図１】一の本実施形態に係るインテリジェント装置を制御するための方法のフローチャートである。
【図２】他の実施形態に係るインテリジェント装置を制御するための方法のフローチャートである。
【図３】他の実施形態に係るインテリジェント装置を制御するための方法のフローチャートである。
【図４】他の実施形態に係るインテリジェント装置を制御するための方法のフローチャートである。
【図５】一の実施形態に係るインテリジェント装置を制御するための装置の概略図である。
【図６】他の実施形態によるインテリジェント装置を制御するための装置の概略図である。
【図７】他の実施形態によるインテリジェント装置を制御するための装置の概略図である。
【発明を実施するための形態】
【００２５】
以下、添付の図面に示されている例を参照して、実施形態について詳細に説明する。以下の説明においては、特に示さない限り、異なる図面における同一の数字は同一または類似の要素を表す。以下の説明に記載の実施態様は、本発明と一致するすべての実装を表すものではなく、それらは、単に添付の特許請求の範囲に記載された本発明の関連する側面と一致する装置および方法の実施例に過ぎない。
【００２６】
先ず、本発明の実施形態で用いられているいくつかの用語を説明する。
【００２７】
インテリジェントデバイス：インテリジェントデバイスとは、インテリジェント世帯で用いられ、遠隔制御装置との通信機能を有する、例えば、扇風機、冷蔵庫、エアコン、テレビ、ルータなどの様々なタイプの装置をいう。
【００２８】
近距離無線通信（ＮＦＣ）アンテナ：ＮＦＣアンテナとは、具体的には、無線周波数識別（ＲＦＩＤ）技術をベースにしたアンテナであって、データ送信処理がプロセッサの通信指令により検証されるハードウェアの処理方式に対処するために通信用変圧器と結合され整合させられた近距離結合アンテナをいい、ソフトウェアおよびハードウェア環境が変調されてＲＦＩＤによって処理され整合回路により調整される。
【００２９】
ＮＦＣ技術：ＮＦＣ技術とは、電子装置間（例えば、10センチメートル以内）の非接触ポイント・ツー・ポイントのデータ伝送によるデータ交換を可能にする近距離高周波無線通信技術をいう。この技術は、非接触ＲＦＩＤから派生したものであり、ＲＦＩＤとの下位互換性がある。赤外線通信やブルートゥース通信と比較して、ＮＦＣは短い通信距離と高度な安全性を実現する特定の信号減衰技術を採用し、本人認証と安全な支払いに適している。
【００３０】
ＮＦＣタグ：ＮＦＣタグとは、１３．５６ＭＨｚ動作周波数を有しており、ＮＦＣ技術に基づくＩＳＯ１４４４３Ａ／Ｂ規格と互換性があるタグをいう。 ＮＦＣタグは、個人情報、支払い情報、ブルートゥースアドレス情報およびＷｉ−Ｆｉアドレス情報といった各種の読み取り可能な情報を格納することができる。本発明におけるＮＦＣには、少なくとも、そのようなインテリジェントデバイスの起動とインテリジェントデバイスの停止などのインテリジェントデバイスの構成情報が含まれている。
【００３１】
図１は、一の実施形態に係るインテリジェントデバイスを制御する方法のフローチャートである。実行主体は、インテリジェントデバイスを制御するための装置である。図１に示すように、当該方法は端末装置に適用され、以下のステップを含む。
【００３２】
ステップ１１においては、少なくとも一つの制御可能なインテリジェントデバイスと、各インテリジェントデバイスに対応する実行操作と、各実行操作に対応する実行条件とを含み、ユーザにより設定された構成情報が受信・保管される。
【００３３】
ステップ１２においては、目的実行条件が成立した場合に、目的実行条件に応じて構成情報の照会が行われ、目的条件に対応する目的インテリジェントデバイスと目的実行操作が決定される。
【００３４】
ステップ１３においては、目的実行操作を行うために目的インテリジェントデバイスが制御される。
【００３５】
結論として、本実施形態で提供される方法によれば、ユーザはインテリジェントデバイスが上記の装置によって自動的に制御されるように設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができる。
【００３６】
図２は、他の実施形態に係るインテリジェントデバイスを制御する方法のフローチャートである。実行主体は、インテリジェントデバイスを制御するための装置である。図２に示すように、当該方法は端末装置に適用され、以下のステップを含む。
【００３７】
ステップ２１においては、複数の制御可能なインテリジェントデバイスと、各インテリジェントデバイスに対応する実行操作と、各実行操作に対応する実行条件と、複数のインテリジェントデバイスを制御する順序を含み、ユーザにより設定された構成情報が受信・保管される。
【００３８】
ステップ２２においては、目的実行条件が成立した場合に、目的実行条件に応じて構成情報の照会が行われ、目的条件に対応する目的インテリジェントデバイスと目的実行操作が決定される。
【００３９】
目的実行条件は、ステップ２１における実行条件の一つであり、目的インテリジェントデバイスと目的実行操作は、それぞれ、構成情報における目的実行条件に対応するインテリジェントデバイスと目的実行条件に対応する実行操作である。
【００４０】
ステップ２３においては、目的実行操作を行うために目的インテリジェントデバイスが制御される。
【００４１】
ここでは、インテリジェントデバイスを制御する装置としてスマート腕時計や携帯端末などが挙げられる。制御指令は、装置のキートリガー、装置の表示画面のタッチトリガー、装置の移動量が閾値に達することにより引き起こされるトリガー、装置によりカウントされるユーザのステップ数が閾値に達することにより引き起こされるトリガー、装置のアラームトリガーおよび装置の振動トリガーによる指令のうちのいずれか一つである。
【００４２】
例えば、複数のインテリジェントデバイスには、テレビ、冷蔵庫および扇風機が含まれ、テレビ、冷蔵庫および扇風機に対応する実行操作は起動操作であり、テレビの起動に対応する実行条件は装置のアラームが起動されることであり、冷蔵庫の起動に対応する実行条件は装置の表示画面上の圧力が閾値に達することであり、扇風機の起動に対応する実行条件は装置の振動である。インテリジェントデバイスの制御順序は、テレビ、冷蔵庫、扇風機の順である。以上が、構成情報の内容である。装置のアラームが起動された場合には、装置は、構成情報を照会し、照会の結果に応じてテレビ、冷蔵庫、扇風機を順次起動するように制御する。すなわち、一つの実行条件が成立したときに複数のインテリジェントデバイスの協調トリガーが成立してもよい。装置の表示画面上の圧力が閾値に達した場合には、装置は、構成情報を照会し、照会の結果に応じて冷蔵庫および扇風機を順次起動するように制御し、その結果、一つの実行条件が成立したときに複数のインテリジェントデバイスの協調トリガーが成立する。
【００４３】
結論として、本実施形態で提供される方法によれば、ユーザはインテリジェントデバイスが上記の装置によって自動的に制御されるように設定し、かつ、個人の習慣に適するように実行操作や実行条件を設定することができ、その結果、ユーザは、事前に構成された制御指令に応じて対応するインテリジェントデバイスを制御することができ、かつ、複数のインテリジェントデバイスを制御する順序を設定することにより該複数のインテリジェントデバイスの協調トリガーを実現することができるので、ユーザの好みに合わせた要求を満たすことができるにとどまらず、ユーザに大きな利便性をもたらすことができる。
【００４４】
図３は、他の実施形態に係るインテリジェントデバイスを制御する方法のフローチャートである。実行主体は、インテリジェントデバイスを制御するための装置である。図３に示すように、当該方法は端末装置に適用され、以下のステップを含む。
【００４５】
ステップ３１においては、複数の制御可能なインテリジェントデバイスと、各インテリジェントデバイスに対応する実行操作と、各実行操作に対応する実行条件と、複数のインテリジェントデバイスを制御する順序を含み、ユーザにより設定された構成情報が受信・保管される。
【００４６】
ステップ３２においては、目的実行条件が成立した場合に、目的実行条件に応じて構成情報の照会が行われ、目的条件に対応する目的インテリジェントデバイスと目的実行操作が決定される。
【００４７】
目的実行条件は、ステップ３１における実行条件の一つであり、目的インテリジェントデバイスと目的実行操作は、それぞれ、構成情報における目的実行条件に対応するインテリジェントデバイスと目的実行条件に対応する実行操作である。
【００４８】
ステップ３３においては、目的実行操作を行うために目的インテリジェントデバイスが制御される。
【００４９】
以下、インテリジェントデバイス上で実行される制御処理の複数の例を詳述する。本実施形態では、インテリジェントデバイスは、エアコンであり、複数の制御動作は、起動および冷却温度の１℃低減であり、実行条件には、装置によってカウントされるユーザのステップ数が閾値に達することと装置の表示画面上の圧力が閾値に到達に到達することが含まれるが、これらはすべて構成情報の内容である。従って、ユーザが携帯する装置によってカウントされるユーザのステップが閾値に達したときに、インテリジェントデバイスは、構成情報を照会し、照会結果に応じて、エアコンを起動するように制御し、冷却温度を１℃低減させる。ユーザは、冷却温度が所望の温度に達していないと思ったら、装置の表示画面に触れ、圧力が閾値に到達するようして、再び冷却温度を１℃下げるようにエアコンを制御してもよい。
【００５０】
結論として、本実施形態で提供される方法によれば、ユーザはインテリジェントデバイスが上記の装置によって自動的に制御されるように設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができる。
【００５１】
また、設定情報は、複数のインテリジェントデバイスを制御する順序、およびインテリジェントデバイスの少なくとも一つの上で実行される複数の制御動作を含むことができる。
【００５２】
例えば、複数のインテリジェントデバイスには、テレビ、冷蔵庫、扇風機およびエアコンが含まれ、テレビ、冷蔵庫および扇風機に対する実行操作は起動操作であり、エアコンに対する実行操作は起動操作および冷却温度を１℃低下させる操作が含まれる。エアコンの起動操作に対応する実行条件は、装置によってカウントされるユーザのステップが閾値に到達することであり、冷却温度を１℃低下させる操作に対応する実行条件は、装置上のプリセットボタンが押下されることであり、テレビの起動操作に対応する実行条件は、装置のアラームが起動していることであり、冷蔵庫の起動操作に対応する実行条件は、装置のディスプレイ画面上の圧力が閾値に達したことであり、扇風機の起動操作に対応する実行条件は、装置の振動である。インテリジェントデバイスの制御順序は、エアコン、テレビ、冷蔵庫、扇風機の順である。以上が、構成情報の内容である。装置によってカウントされるユーザのステップが閾値に達した場合には、装置は、構成情報を照会し、照会の結果に応じてエアコン、テレビ、冷蔵庫および扇風機を順次起動するように制御し、エアコンが起動された後、冷却温度を１℃下げる。つまり、一つの実行条件が成立したときに複数のインテリジェントデバイスの協調トリガーが成立してもよい。
【００５３】
図４は、他の実施形態に係るインテリジェントデバイスを制御する方法のフローチャートである。実行主体は、インテリジェントデバイスを制御するための装置である。図４に示すように、当該方法は端末装置に適用され、以下のステップを含む。
【００５４】
ステップ４１においては、インテリジェントデバイスの構成可能な情報がインテリジェントデバイス上のＮＦＣタグによって取得され、該インテリジェントデバイスの情報がディスプレイに表示される。
【００５５】
インテリジェントデバイスの構成可能な情報をインテリジェントデバイス上のＮＦＣタグによって取得する工程は、近距離通信技術を備えたＮＦＣアンテナによりインテリジェントデバイス上のＮＦＣタグを活性化し、インテリジェントデバイスとのＮＦＣ接続を確立し、ＮＦＣタグに格納されたインテリジェントデバイスの構成可能な情報を取得する工程を含む。
【００５６】
構成可能な情報は、インテリジェントデバイスの起動やインテリジェントデバイスの停止など、インテリジェントデバイスを制御することが可能な実行操作を指す。装置がスマート腕時計であり、インテリジェントデバイスがエアコンである例について説明する。スマート腕時計がインテリジェントデバイス上のＮＦＣタグに所定の距離、例えば１０ｃｍまで接近したとき、スマート腕時計は、インテリジェントデバイスの識別情報、起動操作、停止操作、温度上昇操作、および温度低減操作など、ＮＦＣタグに予め記憶されたインテリジェント装置の構成可能情報を取得し、その取得した情報をスマート腕時計の表示画面に表示することができる。ユーザは、スマート腕時計の表示画面に表示された情報を見て、構成する必要がある実行操作を選択することができる。
【００５７】
ステップ４２においては、複数の制御可能なインテリジェントデバイスと、各インテリジェントデバイスに対応する実行操作と、各実行操作に対応する実行条件と、複数のインテリジェントデバイスを制御する順序を含み、ユーザにより設定された構成情報が受信・保管される。
【００５８】
当該ステップにおけるインテリジェントデバイスを制御する方法は、上記各実施形態と同様であって、これらについての詳細な説明は省略する。
【００５９】
ステップ４３においては、目的実行条件が成立した場合に、目的実行条件に応じて構成情報の照会が行われ、目的条件に対応する目的インテリジェントデバイスと目的実行操作が決定される。
【００６０】
目的実行条件は、ステップ４２における実行条件の一つであり、目的インテリジェントデバイスと目的実行操作は、それぞれ、目的実行条件に対応するインテリジェントデバイスと目的実行条件に対応する実行操作である。
【００６１】
ステップ４４においては、目的実行操作を行うために目的インテリジェントデバイスが制御される。
【００６２】
結論として、本実施の形態で提供される方法によれば、ユーザが先ずインテリジェントデバイスの構成情報を取得し、そこで該構成情報に従ってインテリジェントデバイスを設定し、自動的に制御されるインテリジェントデバイスを設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができる。
【００６３】
上記各実施形態の実行条件には、装置上のボタンが押下されること、装置の表示画面上に課される圧力が閾値に達すること、装置の動きの振幅が閾値に達すること、装置によってカウントされるユーザのステップが閾値に達すること、装置のアラームが起動されること、および装置が振動することの少なくとも１つを含むことができる。
【００６４】
もちろん、実用的な要件に照らして上記以外の実行条件を設定してもよいが、これらについての詳細な説明は省略する。
【００６５】
上記実施形態では、インテリジェントデバイスを制御する装置は、スマート腕時計や携帯端末であってもよいし、携帯端末は、携帯電話、スマートブレスレットなどを含んでもよい。
【００６６】
また、上記実施形態の実行操作は、インテリジェントデバイスの起動、インテリジェントデバイスの停止、インテリジェントデバイスの温度調節、およびインテリジェントデバイスの空気速度調整のうちの少なくとも一つを含んでよい。例えば、様々なインテリジェントデバイスは起動操作と停止操作を有してよい。冷蔵庫やエアコンは、温度調節の操作を有してよい。扇風機やエアコンは、空気の速度調節の操作を有してよい。インテリジェントデバイスの実行動作は、対応するインテリジェントデバイスが有する機能に応じて設定することができる。実行操作は、インテリジェント機器の構成可能情報に相当する。
【００６７】
さらに、ユーザが設定した構成情報は２通りの方法で受信することができる。装置においてユーザにより決定された構成情報を受信する方法、または、構成端末を介してユーザにより送信された構成情報を受信する方法である。
【００６８】
例えば、装置はスマート腕時計であってもよく、この場合ユーザはスマート腕時計の表示画面上で直接構成情報を設定することができる。または、ユーザが携帯電話を経由して構成情報を設定してスマート腕時計に送信し、スマート腕時計は、構成情報を格納することがある。
【００６９】
あるいは、上記の実施形態では、目的実行操作を実行するために目的インテリジェントデバイスを制御する工程では、ブルートゥースにより、または赤外線信号の送信もしくはＷＩＦＩに基づく無線信号の送信を行う方法により、符号化情報を目的インテリジェントデバイスに送信し、符号化情報は、目的インテリジェントデバイスの目的実行操作を含み、目的インテリジェントデバイスは、前記符号化情報に基づいて前記目的実行操作を行う。
【００７０】
図５は、一の実施形態に係るインテリジェントデバイスを制御するための装置の概略図である。図５に示されるとおり、該装置は、受信手段５０１、クエリ手段５０２および制御手段５０３を含む。
【００７１】
受信手段５０１は、少なくとも一つの制御可能なインテリジェントデバイスと、各インテリジェントデバイスに対応する実行操作と、各実行操作に対応する実行条件とを含み、ユーザにより設定された構成情報を受信・保管するように構成されている。クエリ手段５０２は、目的実行条件が成立した場合に、目的実行条件に応じて受信手段５０１により受信された構成情報を照会し、目的条件に対応する目的インテリジェントデバイスと目的実行操作を決定するように構成されている。制御手段５０３は、クエリ手段５０２により決定された目的実行操作を行うためにクエリ手段５０２により決定された目的インテリジェントデバイスを制御するように構成されている。
【００７２】
該装置は、腕時計や携帯端末であってもよく、構成情報はインテリジェントデバイスを複数含み、さらに、複数のインテリジェントデバイスの制御順序を含んでよい。あるいは、実行操作は、一つのインテリジェントデバイス上で実行される一つ以上の制御操作を含んでよい。
【００７３】
上記の実施例の装置について、各手段の実行操作のための具体的な方法が、方法に係る実施形態において詳述されたが、ここ（装置に係る実施形態）においてはあらためて詳述しない。
【００７４】
結論として、本実施形態で提供される装置によれば、ユーザはインテリジェントデバイスが上記の装置によって自動的に制御されるように設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができる。
【００７５】
上記実施形態における実行操作は、インテリジェントデバイスの起動、インテリジェントデバイスの停止、インテリジェントデバイスの温度調節、およびインテリジェントデバイスの空気速度調整のうちの少なくとも一つを含む。
【００７６】
あるいは、上記実施形態における受信手段５０１は、装置においてユーザによって決定された構成情報を受信するように、または、構成端末経由でユーザから送信された構成情報を受信するように構成されている。
【００７７】
あるいは、上記実施形態における制御手段５０３は、ブルートゥースにより、または赤外線信号の送信もしくはＷＩＦＩに基づく無線信号の送信を行う方法により符号化情報をクエリ手段５０２により決定された目的インテリジェントデバイスに送信するよう構成され、該符号化情報は、目的インテリジェントデバイスの目的実行操作を含み、目的インテリジェントデバイスは、前記符号化情報に基づいて前記目的実行操作を行う。
【００７８】
図６は、一の実施形態に係るインテリジェントデバイスを制御するための装置の概略図である。図６に示されるとおり、該装置は、受信手段５０１、クエリ手段５０２および制御手段５０３を含み、さらに、インテリジェントデバイス上のＮＦＣタグによってインテリジェントデバイスの構成情報を取得し表示画面に表示する取得手段６０１を含む。したがって、受信手段５０１は、構成情報は、少なくとも一つの制御可能なインテリジェントデバイスを含んでいる、取得手段６０１で取得したインテリジェントデバイスの情報に基づいて、ユーザにより設定された構成情報を受信し、設定情報を記憶するように構成されている。実行動作は、各インテリジェントデバイス、およびそれぞれの実行処理に対応する実行状態に対応する。クエリ手段５０２および制御手段５０３の具体的な動作は前出実施形態と一致しているのでここでは更に詳しく説明しない。
【００７９】
取得手段６０１は、近距離通信技術を備えたＮＦＣアンテナによりインテリジェントデバイス上のＮＦＣタグを活性化し、インテリジェントデバイスとのＮＦＣ接続を確立し、ＮＦＣタグに格納された前記インテリジェントデバイスの構成可能な情報を取得するよう構成されている。
【００８０】
上記の実施例の装置について、各手段の実行操作のための具体的な方法が、方法に係る実施形態において詳述されたが、ここ（装置に係る実施形態）においてはあらためて詳述しない。
【００８１】
結論として、本実施の形態で提供される方法によれば、ユーザが先ずインテリジェントデバイスの構成情報を取得し、そこで該構成情報に従ってインテリジェントデバイスを設定し、自動的に制御されるインテリジェントデバイスを設定し、かつ、個人の習慣に適するように実行操作や実行条件を設定することができ、その結果、ユーザは、事前に構成された制御指令に応じて対応するインテリジェントデバイスを制御することができるので、ユーザの好みに合わせた要求を満たすことができるにとどまらず、ユーザに大きな利便性をもたらすことができる。
【００８２】
図７は、他の実施形態によるインテリジェントデバイスを制御するための装置の概略図である。装置７００は、携帯電話、コンピュータ、デジタル放送用端末、メッセージングデバイス、ゲームコンソール、タブレット、医療機器、運動器具、パーソナルデジタルアシスタント等であってよい。
【００８３】
図７に示すとおり、装置７００は、処理コンポーネント７０２、メモリ７０４、電源コンポーネント７０６、マルチメディアコンポーネント７０８、オーディオコンポーネント７１０、入出力（Ｉ / Ｏ）インタフェース７１２、センサコンポーネント７１４および通信コンポーネント７１６のうちの一つ以上を含むことができる。
【００８４】
処理コンポーネント７０２は、典型的には、ディスプレイ、電話、データ通信、カメラ操作、および記録動作に関連する動作など装置７００の全体の動作を制御する。処理コンポーネント７０２は、上述の方法の工程の一部または全部を実行するための命令を実行する一つまたは複数のプロセッサ７２０を含むことができる。さらに、処理コンポーネント７０２は、処理コンポーネント７０２と他のコンポーネントとの間の相互作用を容易にする一つまたは複数の手段を含むことができる。例えば、処理コンポーネント７０２は、マルチメディアコンポーネント７０８と処理コンポーネント７０２との間の相互作用を促進するためのマルチメディア手段を含むことができる。
【００８５】
メモリ７０４は、装置７００の動作をサポートするための様々なタイプのデータを保管するよう構成されている。該データの例としては、装置７００上で稼働するアプリケーションやメソッドのための命令、連絡先の情報、電話帳データ、メッセージ、写真、ビデオなどが挙げられる。メモリ７０４は、揮発性または不揮発性メモリデバイスの任意のタイプ、またはそれらの組み合わせを使用して実装することができ、例えば、ランダムアクセスメモリ（ＳＲＡＭ）、電気的消去可能プログラマブルリードオンリーメモリ（ＥＥＰＲＯＭ）、消去可能なプログラマブルリードオンリーメモリ（ＥＰＲＯＭ）、プログラマブル読み出し専用メモリ（ＰＲＯＭ）、読み出し専用メモリ（ＲＯＭ）、磁気メモリ、フラッシュメモリ、磁気または光ディスクが挙げられる。
【００８６】
電源コンポーネント７０６は、装置７００の各コンポーネントに電力を供給する。電源コンポーネント７０６には、電力管理システム、一つ以上の電力源、または装置７００内の電力の生成、管理、および電力の配布に関連する他のコンポーネントを含んでいてもよい。
【００８７】
マルチメディアコンポーネント７０８は、装置７００とユーザとの間の出力インタフェースを提供する画面が含まれている。いくつかの実施形態では、画面は、液晶ディスプレイ（ＬＣＤ）やタッチパネル（ＴＰ）を含むことができる。画面がタッチパネルを含む場合、画面は、ユーザからの入力信号を受信するタッチスクリーンとして実装することができる。タッチパネルは、タッチパネル上のタッチ、スワイプおよびジェスチャーを検出するための１つ以上のタッチセンサを含む。タッチセンサは、タッチ動作やスワイプ動作の境界を感知するだけでなく、タッチ動作やスワイプ動作が行われた期間と圧力を感知してもよい。いくつかの実施形態では、マルチメディアコンポーネント７０８は、フロントカメラおよび／またはリアカメラを含む。装置７００が撮影モードやビデオモードなどの動作モードにある間、フロントカメラおよび／またはリアカメラは、外部のマルチメディアデータを受信することができる。フロントカメラとリアカメラの各々は、固定された光学レンズ系であってもよく、またフォーカス、光学ズーム機能を有していてもよい。
【００８８】
オーディオコンポーネント７１０は、オーディオ信号を出力および／または入力するように構成されている。例えば、オーディオコンポーネント７１０は、装置７００が通話モード、録音モードおよび音声認識モードのような動作モードにあるときに外部オーディオ信号を受信するように構成されたマイクロフォン（ＭＩＣ）を含む。受信された音声信号は、さらにいくつかの実施形態において、通信コンポーネント７１６を介してメモリ７０４に格納され、または送信されてもよく、オーディオコンポーネント７１０は、さらに音声信号を出力するスピーカを含んでいてもよい。
【００８９】
入出力インタフェース７１２は、処理コンポーネント７０２と、キーボード、クリックホイール、ボタンなどの周辺インタフェース手段との間のインタフェースを提供する。ボタンとしては、ホームボタン、ボリュームボタン、起動ボタン、及びロックボタンを含むことができるが、これらに限定されない。
【００９０】
センサコンポーネント７１４は、装置７００の様々な態様の状況の評価を提供するための一つ以上のセンサを含む。例えば、センサコンポーネント７１４は、例えば装置７００の開閉状態、表示装置とのキーパッドなど装置７００の構成要素の相対位置、装置７００または装置７００のコンポーネントの位置の変化、装置７００へのユーザ接触の有無、装置７００の配向または加速／減速および装置７００の温度変化を検出することができる。センサコンポーネント７１４は、物理的な接触なしに近くの物体の存在を検出する近接センサを含んでもよい。センサコンポーネント７１４はまた、画像アプリケーションで使用するためのＣＭＯＳやＣＣＤイメージセンサ等の光センサを含むことができる。いくつかの実施形態では、センサコンポーネント７１４は、また、加速度センサ、ジャイロセンサ、磁気センサ、圧力センサ、または温度センサを含むことができる。
【００９１】
通信コンポーネント７１６は、装置７００と他のデバイスとの間で、有線または無線通信を容易にするように構成されている。装置７００は、無線ＬＡＮ、２Ｇ，３Ｇまたは、それらの組み合わせ等の通信規格に基づいて無線ネットワークにアクセスすることができる。例示的な一実施形態では、通信コンポーネント７１６は、放送チャンネルを介して外部の放送管理システムからの放送信号または放送関連情報を受信する。例示的な一実施形態では、通信コンポーネント７１６は、さらに、短距離通信を容易にするための近距離通信（ＮＦＣ）手段を含む。ＮＦＣ手段は、例えば、無線周波数識別（ＲＦＩＤ）技術、赤外線データ協会（ＩｒＤＡプロトコル）技術、超広帯域（ＵＷＢ）テクノロジ、ブルートゥース（ＢＴ）技術、および他の技術に基づいて実装されていてもよい。
【００９２】
上記実施形態においては、装置７００は、上記の方法を実施するために、１つ以上の特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲートアレイ（ＦＰＧＡ）、コントローラ、マイクロコントローラ、マイクロプロセッサ、または他の電子部品を用いて実装することができる。
【００９３】
上記実施形態においては、また、上記の方法を実行するために装置７００内のプロセッサ７２０によって実行可能なメモリ７０４に記憶される命令を含む非一時的なコンピュータ可読記憶媒体が提供される。非一時的なコンピュータ可読記憶媒体は、例えば、ＲＯＭ、ＲＡＭ、ＣＤ−ＲＯＭ、磁気テープ、フロッピー（登録商標）ディスク、光データ記憶装置、等であってもよい。
【００９４】
本発明は、非一時的なコンピュータ可読記憶媒体を提供する。プロセッサと、プロセッサによって実行可能な命令を記憶するように構成されたメモリを含む携帯端末のプロセッサによって該記憶媒体内の命令が実行されると、携帯端末はインテリジェントデバイスの制御を含む方法を実行することができる。
【００９５】
プロセッサは、少なくとも一つの制御可能なインテリジェントデバイスと、各インテリジェントデバイスに対応する実行操作と、各実行操作に対応する実行条件とを含み、ユーザにより設定された構成情報を受信・保管し、目的実行条件が成立した場合に、目的実行条件に応じて構成情報を照会し、目的条件に対応する目的インテリジェントデバイスと目的実行操作を決定し、目的実行操作を行うために目的インテリジェントデバイスを制御するように構成されている。
【００９６】
プロセッサの具体的な動作は、上記実施形態と同一である。
【００９７】
本発明の他の実施形態は、ここに開示された発明の明細書および実施を考慮すれば当業者には明らかであろう。本件出願は、あらゆる変形、使用、本開示の適応をカバーすることを意図しており、一般的な原理に従い、当技術分野で公知または慣行内に入るような本明細書における開示内容からの逸脱を含む。明細書および実施例は例示としてのみ考慮され、本発明の真の範囲および精神は以下の特許請求の範囲によって示されることが意図されている。
【００９８】
本発明は上述のとおり説明され添付の図面に示された構成そのものに限定されないこと、および、本発明の範囲から逸脱することなく種々の変形や変更を行うことができるということが理解されるであろう。これは、本発明の範囲は添付の特許請求の範囲によってのみ限定されるものであることを意図している。
【図１】
2017529814.tif 000003
【図２】
2017529814.tif 000004
【図３】
2017529814.tif 000005
【図４】
2017529814.tif 000006
【図５】
2017529814.tif 000007
【図６】
2017529814.tif 000008
【図７】
2017529814.tif 000009
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
インテリジェントデバイスを制御する方法であって、  
少なくとも一つの制御可能なインテリジェントデバイスと、各インテリジェントデバイスに対応する実行操作と、各実行操作に対応する実行条件とを含み、ユーザにより設定された構成情報を受信・保管する工程と、
目的実行条件が成立した場合に、前記目的実行条件に応じて前記構成情報を照会し、前記目的条件に対応する目的インテリジェントデバイスと目的実行操作を決定する工程と、
前記目的実行操作を行うために前記目的インテリジェントデバイスを制御する工程とを含むインテリジェントデバイスを制御する方法。
【請求項２】
前記構成情報は、複数のインテリジェントデバイスと、前記複数のインテリジェントデバイスを制御する順序を含むことを特徴とする請求項１に記載の方法。
【請求項３】
前記構成情報は、一つのインテリジェントデバイスにおいて実行される一つ以上の制御操作を含むことを特徴とする請求項１または請求項２に記載の方法。
【請求項４】
前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含むことを特徴とする請求項１から請求項３までのいずれか一つの請求項に記載の方法。
【請求項５】
前記目的実行操作を行うために前記目的インテリジェントデバイスを制御する工程は、ブルートゥースにより、または赤外線信号の送信もしくはＷＩＦＩに基づく無線信号の送信を行う方法により符号化情報を前記目的インテリジェントデバイスに送信する工程を含み、
前記符号化情報は、前記目的インテリジェントデバイスの前記目的実行操作を含み、前記目的インテリジェントデバイスは、前記符号化情報に基づいて前記目的実行操作を行うことを特徴とする請求項１から請求項４までのいずれか一つの請求項に記載の方法。
【請求項６】
前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する工程をさらに含み、
前記ユーザにより設定された前記構成情報を受信する工程は、前記インテリジェントデバイスの情報に応じて前記ユーザにより設定された前記構成可能な情報を受信する工程を含むことを特徴とする請求項１から請求項５までのいずれか一つの請求項に記載の方法。
【請求項７】
前記インテリジェントデバイスの構成可能な情報を前記インテリジェントデバイス上のＮＦＣタグによって取得する工程は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得する工程を含むことを特徴とする請求項６に記載の方法
【請求項８】
インテリジェントデバイスを制御する装置であって、  
少なくとも一つの制御可能なインテリジェントデバイスと、各インテリジェントデバイスに対応する実行操作と、各実行操作に対応する実行条件とを含み、ユーザにより設定された構成情報を受信・保管する受信手段と、
目的実行条件が成立した場合に、前記目的実行条件に応じて前記構成情報を照会、前記目的条件に対応する目的インテリジェントデバイスと目的実行操作を決定するクエリ手段と、
前記クエリ手段により決定された前記目的実行操作を行うために前記クエリ手段により決定された前記目的インテリジェントデバイスを制御する制御手段を備えた装置。
【請求項９】
前記構成情報は、複数のインテリジェントデバイスと、前記複数のインテリジェントデバイスを制御する順序を含むことを特徴とする請求項８に記載の装置。
【請求項１０】
前記構成情報は、１つのインテリジェントデバイスにおいて実行される１つ以上の制御操作を含むことを特徴とする請求項８または請求項９に記載の装置。
【請求項１１】
前記実行操作は、前記インテリジェントデバイスの起動、前記インテリジェントデバイスの停止、前記インテリジェントデバイスの温度調節、および前記インテリジェントデバイスの空気速度調整のうちの少なくとも一つを含むことを特徴とする請求項８から請求項１０までのいずれか一つの請求項に記載の装置。
【請求項１２】
前記制御手段は、ブルートゥースにより、または赤外線信号の送信もしくはＷＩＦＩに基づく無線信号の送信を行う方法により符号化情報を前記クエリ手段により決定された前記目的インテリジェントデバイスに送信するよう構成され、
前記符号化情報は、前記目的インテリジェントデバイスの前記目的実行操作を含み、前記クエリ手段により決定された前記目的インテリジェントデバイスは、前記符号化情報に基づいて前記目的実行操作を行うことを特徴とする請求項８から請求項１１までのいずれか一つの請求項に記載の装置。
【請求項１３】
前記ユーザによって設定された前記構成情報を受信する工程の前に、前記インテリジェントデバイスの構成可能な情報を前記インテリジェントデバイス上のＮＦＣタグによって取得し該インテリジェントデバイスの情報をディスプレイに表示する取得手段をさらに備え、
前記受信手段は、前記取得手段により取得された前記インテリジェントデバイスの情報に応じて前記ユーザにより設定された前記構成可能な情報を受信するよう構成されていることを特徴とする請求項８から請求項１２までのいずれか一つの請求項に記載の装置。
【請求項１４】
前記取得手段は、近距離通信技術を備えたＮＦＣアンテナにより前記インテリジェントデバイス上のＮＦＣタグを活性化し、前記インテリジェントデバイスとのＮＦＣ接続を確立し、前記ＮＦＣタグに格納された前記インテリジェントデバイスの構成可能な情報を取得するよう構成されていることを特徴とする請求項１３に記載の装置。
【請求項１５】
請求項１から請求項７までのいずれか一つの請求項に記載のインテリジェントデバイスを制御する方法をコンピュータに実行させるためのコンピュータプログラム。
【請求項１６】
請求項１５に記載のコンピュータプログラムを記憶したコンピュータ可読記憶媒体。
【国際調査報告】
2017529814.tif 000010
2017529814.tif 000011
2017529814.tif 000012
2017529814.tif 000013
2017529814.tif 000014
2017529814.tif 000015